(57)【要約】【課題】遊技機本体に対する基板ケースの取り付け作業を容易にする。【解決手段】基板ケース２１０は、遊技機本体側挟持部材３７１ａ、３７１ｂにハーネス３２１、３２２、３２３を挟持させることで筐体２の内側に仮固定できるので、遊技機本体に対する基板ケースの取り付け作業を容易でき、また、前記ハーネス３２１、３２２、３２３が貫通孔２９１、２９２を介して基板ケース２１０の外側に延出した状態で前記外側ケース蓋部材２６０と前記外側ケース本体部材２４０の間を基板ケース側封印シール２１２で封印し、ハーネス３２１、３２２、３２３を挟持した遊技機本体側挟持部材３７１ａ、３７１ｂに対して遊技機本体側封印シールを貼り付けて封印している。【選択図】図７
2007268202.tif 000002
【特許請求の範囲】
【請求項１】
前方に開口を有する筐体と、
前記筐体に対して回動可能に取り付けられることで前記開口を開閉可能な状態で閉塞させる前扉と、
配線パターンが形成された制御基板と、
前記制御基板に固定され前記配線パターンと電気的に接続する基板側コネクタと、
一端側に前記基板側コネクタと結合するハーネス側コネクタを有するハーネスと、
ケース内部に前記制御基板を収納するとともに前記ハーネス側コネクタが通過可能な開口部を形成した内側基板ケースと、
平面部及び四面の枠壁を有して一面側が開口する外側ケース本体部材と、
平面部及び四面の枠壁を有して一面側が開口し、その開口側を前記外側ケース本体部材の前記開口側に向かい合わせた状態で前記外側ケース本体部材に装着され、前記外側ケース本体部材とともに形成する外側ケースの内部に前記内側基板ケースを収納するとともに、その開口縁部と前記外側ケース本体部材の開口縁部との間にその内径が前記ハーネスの太さ以上であるとともにハーネス側コネクタのより小さい貫通孔を形成し、当該貫通孔により前記ハーネス側コネクタが前記基板側コネクタと結合した状態で前記ハーネスを前記外側ケースの内部から外側に通過させる外側ケース蓋部材と、
前記筐体または前記前扉の内側に固定して設けられ、前記ハーネスを挟持する遊技機本体側挟持部材と、
前記外側ケース本体部材または前記外側ケース蓋部材を前記筐体または前記前扉の内側に固定する固定手段と、
前記ハーネスの一部が前記外側ケースの内部から外側に通過した状態で前記外側ケース蓋部材と前記外側ケース本体部材の間を封印する基板ケース側封印手段と、
前記遊技機本体側挟持部材が前記ハーネスを挟持した状態で前記遊技機本体側挟持部材を封印する遊技機本体側封印手段とを備えることを特徴とする遊技機。
【発明の詳細な説明】
【技術分野】
【０００１】
本発明は、制御基板がハーネスを介して他の回路基板や電子部品ユニットと接続する遊技機に関するものである。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。これらの回路基板は、例えば、ハーネスの一端に設けられたハーネス側コネクタと結合する基板側コネクタを備えており、前記ハーネスを介して他の回路基板や電子部品ユニット（例えば液晶表示ユニット）と接続するようになっている。
【０００３】
またスロットマシンのメイン制御基板及びサブ制御基板は、正規の基板やＲＯＭを用い、それ以外の基板やＲＯＭの使用を禁止する必要がある。このためメイン制御基板及びサブ制御基板は、特許文献２に記載されているように開封できなく、また本体から外すことが出来ないように所定の基板ケースに封入されており更に封印手段を用いて遊技機本体と分離できないようにして、メイン制御基板及びサブ制御基板に装着されているＲＯＭ等を正規以外のものに交換できないようにしている。
【０００４】
また、このようなメイン制御基板及びサブ制御基板の基板間は、ハーネスを介して電気的に接続されている。ハーネスは一端側及び他端側に設けたコネクタによりそれぞれメイン制御基板及びサブ制御基板側のコネクタと結合することから、正規以外の部品が接続されたハーネスと交換されてしまうおそれやコネクタ内に不正な部品を設けられるおそれがあるという問題がある。このことに対応し、例えば特許文献３に記載されているように、ハーネス側の凸コネクタに取り付けられる基体部と、制御基板を収納するケースの内壁面に当接する引き抜き禁止部とを一体形成し、コネクタの引き抜きを禁止する引き抜き制限装置が提案されている。
【０００５】
【特許文献１】特開２００３−３２５９１１号公報
【特許文献２】特開２０００−２５４３２０号公報
【特許文献３】特開２００４−２８１３０３号公報
【発明の開示】
【発明が解決しようとする課題】
【０００６】
しかしながら、上述した従来のコネクタの引き抜きを禁止する引き抜き制限装置によれば、前記基体部と前記操作禁止部との間は外部から容易に切断可能に形成され、前記基体部から前記操作禁止部を切断することにより制御基板からコネクタを引き抜き可能にしているので、正規のハーネスを不正なハーネスに取り替えようとする者やコネクタに不正を行う者に対して、ハーネスを取り替えることやコネクタを分離することを禁止にしているというメッセージが伝わりにくく、また、引き抜き制限装置は金型成形により容易に偽造可能であるためハーネスが不正に取り替えられたことやコネクタが引き抜かれたことをチェックすることが困難であった。また、メイン制御基板やサブ制御基板を収納した基板ケースは、遊技機の最終製造工程にもしくはそれに近い製造工程で筐体や前扉の内側にネジ止めにより取り付けられるため、他の部品が取り付け作業の阻害要因となる場合が多く、遊技機の製造コストの抑制を困難にしていた。
【０００７】
本発明は、こうした従来の問題に鑑みてなされたものであり、遊技機本体に対する基板ケースの取り付け作業を容易にするとともに、ハーネスを取り替えることやコネクタを引き抜くことを禁止にしているというメッセージを伝わり易くし、ハーネスが不正に取り替えられたことを容易にチェックできる遊技機を提供することを目的としている。
【課題を解決するための手段】
【０００８】
上述した課題を解決するため、請求項１に記載の発明は、前方に開口を有する筐体と、前記筐体に対して回動可能に取り付けられることで前記開口を開閉可能な状態で閉塞させる前扉と、配線パターンが形成された制御基板と、前記制御基板に固定され前記配線パターンと電気的に接続する基板側コネクタと、一端側に前記基板側コネクタと結合するハーネス側コネクタを有するハーネスと、ケース内部に前記制御基板を収納するとともに前記ハーネス側コネクタが通過可能な開口部を形成した内側基板ケースと、平面部及び四面の枠壁を有して一面側が開口する外側ケース本体部材と、平面部及び四面の枠壁を有して一面側が開口し、その開口側を前記外側ケース本体部材の前記開口側に向かい合わせた状態で前記外側ケース本体部材に装着され、前記外側ケース本体部材とともに形成する外側ケースの内部に前記内側基板ケースを収納するとともに、その開口縁部と前記外側ケース本体部材の開口縁部との間にその内径が前記ハーネスの太さ以上であるとともにハーネス側コネクタのより小さい貫通孔を形成し、当該貫通孔により前記ハーネス側コネクタが前記基板側コネクタと結合した状態で前記ハーネスを前記外側ケースの内部から外側に通過させる外側ケース蓋部材と、前記筐体または前記前扉の内側に固定して設けられ、前記ハーネスを挟持する遊技機本体側挟持部材と、前記外側ケース本体部材または前記外側ケース蓋部材を前記筐体または前記前扉の内側に固定する固定手段と、前記ハーネスの一部が前記外側ケースの内部から外側に通過した状態で前記外側ケース蓋部材と前記外側ケース本体部材の間を封印する基板ケース側封印手段と、前記遊技機本体側挟持部材が前記ハーネスを挟持した状態で前記遊技機本体側挟持部材を封印する遊技機本体側封印手段とを備えることを特徴とする。
【０００９】
請求項１に記載の遊技機によれば、遊技機本体側挟持部材にハーネスを挟持させることで前記外側ケース蓋部材と前記外側ケース本体部材と構成される基板ケースを前記筐体または前記前扉の内側に仮固定できるので、遊技機本体に対する基板ケースの取り付け作業を容易でき、また、外側ケース本体部材と外側ケース蓋部材の間に形成される貫通孔により前記ハーネス側コネクタが前記基板側コネクタと結合した状態で前記ハーネスを前記外側ケースの内部から外側に通過させた状態で前記外側ケース蓋部材と前記外側ケース本体部材の間を基板ケース側封印手段で封印し、ハーネスを挟持した遊技機本体側挟持部材に対して遊技機本体側封印手段により封印することで、ハーネスを取り替えることやコネクタを引き抜くことを禁止にしているというメッセージを伝わり易くし、ハーネスが不正に取り替えられたことやコネクタに不正が行われたかを容易にチェックできる。
【発明の効果】
【００１０】
本発明の遊技機によれば、遊技機本体に対する基板ケースの取り付け作業を容易にするとともに、ハーネスを取り替えることを禁止にしているというメッセージを伝わり易くし、ハーネスが不正に取り替えられたことを容易にチェックできるので、遊技機の製造コストを抑制し公平な遊技を提供する等を行える。また、基板側コネクタとハーネス側コネクタを無闇に分離させることを規制することができる。更に、ハーネスと基板ケースとを封印し及び遊技機本体とハーネスとを封印している。このことによりハーネスを介して基板ケースと遊技機本体とを封印できる。
【発明を実施するための最良の形態】
【００１１】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１２】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１３】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００１４】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００１５】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００１６】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００１７】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００１８】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００１９】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２０】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２１】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２２】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２５】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００２６】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２７】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００２８】
下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００２９】
次に、図２を参照して、筐体２の内部構造と前扉３の裏面構造とを説明する。
【００３０】
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３１】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３２】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３３】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３４】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００３５】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００３６】
主制御基板２０及びサブ制御基板４０は、スロットマシン１の作動を制御する制御基板である。
【００３７】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３８】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００３９】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４０】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４１】
次に、図３のブロック図を参照して、スロットマシン１に設けられている制御システムについて説明する。
【００４２】
図３において、主制御基板２０は、ＣＰＵ２００と、記憶部２０１とを備えている。
【００４３】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４４】
また、記憶部２０１にはメダルクレジット手段２０３が設けられている。メダルクレジット手段２０３はスロットマシン１が内部貯留するメダルの数であるクレジットをメモリに記憶する。
【００４５】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００４６】
主制御基板２０は、前記操作スイッチ類やメダル選別装置３４のメダルセンサ３４ａからの出力信号によりゲームに係る操作を検出する。
【００４７】
主制御基板２０は、動作モードがメダルベット待機状態となっている場合において、メダルセンサ３４ａがメダルを検出した場合、検出したメダルをゲームの賭数に加算する。
【００４８】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００４９】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５０】
主制御基板２０は、入賞が確定した場合等において、ホッパ装置２１を制御することで、所定数のメダルを受皿部６ａに払い出す。
【００５１】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００５２】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００５３】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５４】
次に、スロットマシン１におけるゲーム動作の概要を説明する。
【００５５】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５６】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００５７】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００５８】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００５９】
次に、図４乃至図１１を参照して本実施形態の要部となる遊技機用基板ユニット１０について説明する。
【００６０】
図４はスロットマシン１（図２参照）の分解斜視図である。図５は主制御基板２０の斜視図である。図６は基板ケース２１０及びその周辺部の分解斜視図である。図７は基板ケース２１０及びその周辺部の斜視図である。図８は本体側挟持部材３７１ａにハーネス３２３を取り付ける前の状態を示す説明図である。図９は、基板ケース２１０を筐体２に取り付ける前の状態を示す断面図である。図１０は、基板ケース２１０を筐体２に取り付けた状態を示す断面図である。図１１は本体側挟持部材３７１ａにハーネス３２３を取り付けた後の状態を示す説明図である。
【００６１】
図４において、筐体２の前方には開口８を有している。この開口８内の上部となるリールユニット１００の上側には、基板ケース２１０がネジ２１１ａ、２１１ｂによりネジ止め固定されている。
【００６２】
図５において、主制御基板２０の一面には、配線パターン３１０が形成され、配線パターン３１０と電気的に接続する基板側コネクタ３１１、３１２、３１３が固定されている。
【００６３】
また、主制御基板２０の一面には、ＣＰＵ２００、図３に示した記憶部２０１を構成するＲＡＭ３１５及びＲＯＭ３１６、３１７、３１８等の電子部品が取り付けられている。
【００６４】
図６において、基板ケース２１０は、内側基板ケース２２１と、外側ケース本体部材２４０と、外側ケース蓋部材２６０とを備えている。
【００６５】
内側基板ケース２２１は、ケース内部に主制御基板２０を収納するとともに前記ハーネス側コネクタ３３１、３３２、３３３が通過可能な開口部３５１、３５２、３５３が形成されている。
【００６６】
外側ケース本体部材２４０は平面部２４１及び四面の枠壁２４２、２４３、２４４、２４５を有して一面側が開口し、この開口２４６に内側基板ケース２２１を収納する。
【００６７】
外側ケース蓋部材２６０は平面部２６１及び四面の枠壁２６２、２６３、２６４、２６５を有して一面側が開口する。
【００６８】
外側ケース蓋部材２６０は、その開口２６６側を前記外側ケース本体部材２４０の前記開口２４６側に向かい合わせた状態で当該外側ケース本体部材２４０に装着され、ネジ止め等の固定手段により固定される。
【００６９】
外側ケース本体部材２４０の上側の枠壁２４２の左側コーナー近傍及び右側コーナー近傍には、それぞれ半円状の切欠き２５１、２５２が開口２４６の縁側から形成されている。
【００７０】
外側ケース蓋部材２６０の上側の枠壁２６２の左側コーナー近傍及び右側コーナー近傍には、それぞれ半円状の切欠き２７１、２７２が開口２６６の縁側から形成されている。
【００７１】
外側ケース本体部材２４０の切欠き２５１と外側ケース蓋部材２６０の切欠き２７１は、外側ケース本体部材２４０と外側ケース蓋部材２６０が組み立てられた状態でハーネス３２３の前記ハーネス側コネクタ３４３寄りの部分が挿入される貫通孔２９１（図７参照）を形成する。貫通孔２９１は、内径が前記ハーネス３２３の太さ以上であるとともにハーネス側コネクタ３３３より小さく形成されている。
【００７２】
外側ケース本体部材２４０の切欠き２５２と外側ケース蓋部材２６０の切欠き２７２は、外側ケース本体部材２４０と外側ケース蓋部材２６０が組み立てられた状態でハーネス３２１、３２２が挿入される貫通孔２９２（図７参照）を形成する。貫通孔２９２は、内径が前記ハーネス３２１、３２２の太さ以上であるとともにハーネス側コネクタ３３１、３３２より小さく形成されている。
【００７３】
外側ケース本体部材２４０の左側の枠壁２４４の下側には、ネジ止め部２８１ａが形成されている。外側ケース本体部材２４０の右側の枠壁２４５の下側には、ネジ止め部２８１ｂが形成されている。ネジ止め部２８１ａ、２８１ｂには、それぞれ貫通孔２８２ａ、２８２ｂが形成されている。前記筐体２の内面の貫通孔２８２ａ、２８２ｂに対応する位置にはそれぞれネジ孔２８３ａ、２８３ｂが形成されている。
【００７４】
貫通孔２９１は、前記ハーネス側コネクタ３３３が前記基板側コネクタ３１３と結合した状態で、前記ハーネス３２３を、外側ケース本体部材２４０と外側ケース蓋部材２６０により形成される外側ケースの内部から外側に通過させる。
【００７５】
貫通孔２９２は、前記ハーネス側コネクタ３３１、３３２が前記基板側コネクタ３１１、３１２と結合した状態で、前記ハーネス３２１、３２２を、外側ケース本体部材２４０と外側ケース蓋部材２６０により形成される外側ケースの内部から外側に通過させる。
【００７６】
基板ケース側封印シール２１２は、前記ハーネス３２３が貫通孔２９１から外側に延出し、前記ハーネス３２１、３２２が貫通孔２９２から外側に延出した状態で、外側ケース蓋部材２６０の平面部２６１の前面上側中央部、外側ケース蓋部材２６０の上側の枠壁２６２の上面の左右方向の中央部、外側ケース本体部材２４０の上側の枠壁２４２の上面の左右方向の中央部、外側ケース本体部材２４０の平面部２４１の背中面上側中央部に亘って貼り付けられることにより、前記外側ケース蓋部材２６０と前記外側ケース本体部材２４０の間を封印する。
【００７７】
筐体２の内面の上側左寄りには、前記ハーネス３２３を挟持する遊技機本体側挟持部材３７１ａがネジ２１３（図８及び図１０参照）により取り付けられている。
【００７８】
筐体２の内面の上側右寄りには、前記ハーネス３２１、３２２を挟持する遊技機本体側挟持部材３７１ｂが遊技機本体側挟持部材３７１ａの場合と同様にネジ止めにより取り付けられている。
【００７９】
以下、遊技機本体側挟持部材３７１ａについて更に詳細に説明する。
【００８０】
図１０において、遊技機本体側挟持部材３７１ａは、背面部３７２が横長の長辺形状で形成され、この背面部３７２の上側及び下側の辺から板状部３７３、３７４を前方向に延出する構造になっている。
【００８１】
背面部３７２は、ネジ２１３により筐体２に接続固定される。
【００８２】
板状部３７３、３７４の互いに対向する面の前側には、係止爪３７５、３７６が対向して形成されている。係止爪３７５、３７６の間には、隙間３７７が形成される。隙間３７７はハーネス３２３を通過させることが可能になっている。背面部３７２、板状部３７３、３７４、係止爪３７５、３７６に囲まれる空間は、ハーネス３２３を挟持する挟持部３７８となっている。遊技機本体側挟持部材３７１ａは、ハーネス３２３を挟み込んだ状態で、図１４に示すように板状部３７３、３７４の前側に遊技機本体側封印シール３７９を貼り付けることで、封印するようになっている。
【００８３】
図７に示す遊技機本体側挟持部材３７１ｂは、遊技機本体側挟持部材３７１ａと同様の構造になっており、ハーネス３２１、３２２を挟み込んだ状態で、図１１に示す遊技機本体側封印シール３７９を貼り付けることで、封印するようになっている。
【００８４】
このような構造により、筐体２は前方に開口８を有する。
【００８５】
前扉３は、前記筐体２に対して回動可能に取り付けられることで前記開口８を開閉可能な状態で閉塞させる。
【００８６】
制御基板２０は配線パターン３１０が形成されている。
【００８７】
基板側コネクタ３１１、３１２、３１３は、この制御基板２０に固定され前記配線パターン３１０と電気的に接続する。
【００８８】
ハーネス３２１、３２２、３２３は一端側に前記基板側コネクタ３１１、３１２、３１３と結合するハーネス側コネクタ３３１、３３２、３３３を有する
内側基板ケース２２１は、ケース内部に主制御基板２０を収納するとともに前記ハーネス側コネクタ３３１、３３２、３３３が通過可能な開口部３５１、３５２、３５３、３５４が形成されている。
【００８９】
外側ケース本体部材２４０は、平面部２４１及び四面の枠壁２４２、２４３、２４４、２４５を有して一面側が開口する。
【００９０】
外側ケース蓋部材２６０は、その開口２６６側を前記外側ケース本体部材２４０の前記開口２４６側に向かい合わせた状態で前記外側ケース本体部材２４０に装着され、前記外側ケース本体部材２４０とともに形成する外側ケースの内部に前記制御基板を収納するとともに、その開口縁部と前記外側ケース本体部材２４０の開口縁部との間にその内径が前記ハーネス３２１、３２２、３２３の太さ以上であるとともにハーネス側コネクタ３３１、３３２、３３３より小さい貫通孔２９１、２９２を形成し、当該貫通孔２９１、２９２により前記ハーネス側コネクタ３３１、３３２、３３３が前記基板側コネクタ３１１、３１２、３１３と結合した状態で前記ハーネス３２１、３２２、３２３を前記外側ケースの内部から外側に通過させる。
【００９１】
遊技機本体側挟持部材３７１ａ、３７１ｂは、前記筐体２の内側に固定され前記ハーネス３２１、３２２、３２３を挟持する。
【００９２】
ネジ２１１ａ、２１１ｂ、ネジ止め部２８１ａ、２８１ｂ及びネジ孔２８３ａ、２８３ｂは、前記基板ケース２１０を前記筐体２の内側に固定する固定手段となっている。
【００９３】
基板ケース側封印シール２１２は、基板ケース側封印手段となっており、前記ハーネス３２１、３２２、３２３の一部が前記外側ケースの内部から外側に通過した状態で前記外側ケース蓋部材２６０と前記外側ケース本体部材２４０の間を封印する。
【００９４】
遊技機本体側封印シール３７９は、遊技機本体側封印手段となっており、前記遊技機本体側挟持部材３７１ａ、３７１ｂが前記ハーネス３２１、３２２、３２３を挟持した状態で前記遊技機本体側挟持部材３７１ａ、３７１ｂを封印する。
【００９５】
以下、基板ケース２１０を組み立てて前記筐体２の内側に固定する行程について説明する。
【００９６】
まず、作業者は、内側基板ケース２２１に制御基板２０を収納し、制御基板２０の基板側コネクタ３１１、３１２、３１３に、ハーネス３２１、３２２、３２３のハーネス側コネクタ３３１、３３２、３３３を結合させる。
【００９７】
次に、作業者は、前記外側ケース本体部材２４０の切欠き２５１に前記ハーネス３２３を挿入し、前記外側ケース本体部材２４０の切欠き２５２に前記ハーネス３２１、３２２を挿入する。この後、前記外側ケース本体部材２４０に外側ケース蓋部材２６０をネジ止め固定する。前記ハーネス３２３は、当該複数の貫通孔２９１を出口として基板ケース２１０の外側に延出し、前記ハーネス３２１、３２２は、当該複数の貫通孔２９２を出口として基板ケース２１０の外側に延出する。次に、作業者は、基板ケース側封印シール２１２を基板ケース２１０に貼り付け、前記ハーネス３２１、３２２、３２３の一部が基板ケース２１０の外側に延出した状態で前記外側ケース蓋部材２６０と前記外側ケース本体部材２４０の間を封印する。
【００９８】
この後、作業者は、遊技機本体側挟持部材３７１ａにハーネス３２３を挟持させ、遊技機本体側挟持部材３７１ｂにハーネス３２１、３２２を挟持させて、基板ケース２１０を前記筐体２の内側に仮固定し、ネジ２１１ａ、２１１ｂのネジ部をネジ止め部２８１ａ、２８１ｂの貫通孔２８２ａ、２８２ｂに挿入し前記筐体２のネジ孔２８３ａ、２８３ｂに螺入することで図７及び図９に示すように前記筐体２に基板ケース２１０をネジ止め固定する。この後、作業者は、遊技機本体側封印シール３７９を、前記遊技機本体側挟持部材３７１ａ、３７１ｂに貼り、前記ハーネス３２１、３２２、３２３を挟持した状態の前記遊技機本体側挟持部材３７１ａ、３７１ｂを封印する。
【００９９】
かかる構成のスロットマシン１によれば、遊技機本体側挟持部材３７１ａ、３７１ｂにハーネス３２１、３２２、３２３を挟持させることで基板ケース２１０を前記筐体２の内側に仮固定できるので、遊技機本体に対する基板ケースの取り付け作業を容易でき、また、前記ハーネス３２１、３２２、３２３がハーネス側コネクタ３３１、３３２、３３３より小さい貫通孔２９１、２９２を介して基板ケース２１０の外側に延出した状態で前記外側ケース蓋部材２６０と前記外側ケース本体部材２４０の間を基板ケース側封印シール２１２で封印し、ハーネス３２１、３２２、３２３を挟持した遊技機本体側挟持部材３７１ａ、３７１ｂに対して遊技機本体側封印シール３７９を貼り付けて封印することで、ハーネス３２１、３２２、３２３を取り替えることを禁止にしているというメッセージを伝わり易くし、ハーネス３２１、３２２、３２３は筐体２、基板ケース２１０に対し封印されることとなり基板ケース側封印シール２１２と遊技機本体側封印シール３７９を開封しない限りハーネス３２１、３２２、３２３及び基板ケース２１０は筐体２から分離することが不可能となる。更にハーネス３２１、３２２、３２３を不正に取り替えたことやコネクタ３１１、３１２、３１３とコネクタ３３１、３３２、３３３を分離したことを容易にチェックできるので、遊技機の製造コストを抑制し公平な遊技を提供する等を行える。
【０１００】
尚、図１乃至図１１に示した実施形態では、ネジ孔２８３ａ、２８３ｂと遊技機本体側挟持部材３７１ａ、３７１ｂを筐体２の内側に設けたが、ネジ孔２８３ａ、２８３ｂと遊技機本体側挟持部材３７１ａ、３７１ｂを前扉３の内側に設け、前記基板ケース２１０を前扉３に内側に固定するように構成してもよい。また、ネジ止め部２８１ａ、２８１ｂをケース蓋部材２６０に設け、前記ケース蓋部材２６０を前記筐体２または前扉３の内側に固定するように構成してもよい。
【０１０１】
以下、図１０及び図１１に示した遊技機本体側挟持部材３７１ａ及び遊技機本体側封印手段の変形例について図１２及び図１３を用いて説明する。
【０１０２】
図１２は遊技機本体側挟持部材３７１ａ及び遊技機本体側封印手段の変形例における本体側挟持部材３７１ａにハーネス３２４を取り付ける前の状態を示す説明図である。図１３は遊技機本体側挟持部材３７１ａ及び遊技機本体側封印手段の変形例における本体側挟持部材３７１ａにハーネス３２４を取り付けて封印した後の状態を示す説明図である。
【０１０３】
図１２において、遊技機本体側挟持部材３７１ａの板状部３７３、３７４の前側には、貫通孔７０１、７０２が上下に貫通して形成されている。
【０１０４】
遊技機本体側封印手段としての遊技機本体側封印リング７００は、熱圧着が可能な合成樹脂を素材とし、Ｃ字状の湾曲部７１０を有し、当該湾曲部７１０の一端及び他端側にそれぞれリングの外側に向けて延出する熱圧着用延出部７１１、７１２を設けている。
【０１０５】
遊技機本体側封印リング７００を用いてハーネス３２４を挟み込んだ遊技機本体側挟持部材３７１ａを封印する場合、遊技機本体側封印リング７００を圧着用延出部７１１または熱圧着用延出部７１２から遊技機本体側挟持部材３７１ａの貫通孔７０１、７０２に連続して通し、熱圧着用延出部７１１、７１２を熱圧着用のペンチ等により熱圧着して図１３に示す一体部７２０とすることで、ハーネス３２４を取り付けた本体側挟持部材３７１ａを遊技機本体側封印リング７００で封印できる。
【０１０６】
尚、図６に示す遊技機本体側挟持部材３７１ｂも、図１２及び図１３に示した遊技機本体側挟持部材３７１ａと同様の封印構造にすることができる。
【０１０７】
以下、本発明に係る遊技機の他の実施形態を図面を参照して説明する。
【０１０８】
図１４は本発明の他の実施形態の基板ケース６１０及びその周辺部の分解斜視図である。図１５は本発明の他の実施形態の基板ケース６１０及びその周辺部の斜視図である。図１４及び図１５以外のスロットマシンの構成要素は図１乃至図１０に示した実施形態と同様になっている。
【０１０９】
図１４において、基板ケース６１０は、内側基板ケース２２１と、外側ケース本体部材６４０と、外側ケース蓋部材６６０とから構成されている。
【０１１０】
外側ケース本体部材６４０の上側の枠壁６４２の切欠き２５２、２５３の間には、半円状の切欠き６５１、６５２が形成されている。外側ケース蓋部材６６０の上側の枠壁６６２の切欠き２７２、２７３の間には、半円状の切欠き６７１、６７２が形成されている。
【０１１１】
外側ケース本体部材６４０の切欠き６５１と外側ケース蓋部材６６０の切欠き６７１は、外側ケース本体部材６４０と外側ケース蓋部材６６０が組み立てられた状態でハーネス３２１、３２２、３２３が挿入される貫通孔６９１を形成する。
【０１１２】
外側ケース本体部材６４０の切欠き６５２と外側ケース蓋部材６６０の切欠き６７２は、外側ケース本体部材６４０と外側ケース蓋部材６６０が組み立てられた状態でハーネス３２１、３２２、３２３が挿入される貫通孔６９２を形成する。
【０１１３】
ハーネス３２１、３２２、３２３の中央部は、貫通孔６９１、６９２を介して基板ケース６１０の上面中央から上側に突出している。
【０１１４】
基板ケース側封印シール６１２は、前記ハーネス３２３の前記ハーネス側コネクタ３４３側が貫通孔２９１から外側に延出し、前記ハーネス３２１、３２２の前記ハーネス側コネクタ３４１、３４２側が貫通孔２９２から外側に延出し、ハーネス３２１、３２２、３２３の中央部が貫通孔６９１、６９２を介して基板ケース６１０の上面中央から上側に突出した状態で、基板ケース６１０の貫通孔２９２、６９１の間の位置に貼り付けられることにより、前記外側ケース蓋部材６６０と前記外側ケース本体部材６４０の間を封印する。
【０１１５】
筐体４０２の内面の上側中央には、前記ハーネス３２１、３２２、３２３を挟持する遊技機本体側挟持部材５０１が取り付けられている。
【０１１６】
遊技機本体側挟持部材５０１から所定間隔を置いた下側の左右には回転フック５０２ａ、５０２ｂが取り付けられている。遊技機本体側挟持部材５０１は、図１０に示した遊技機本体側挟持部材３７１ａと同様の構造になっており、ハーネス３２１、３２２、３２３を挟持できるようになっている。
【０１１７】
回転フック５０２ａ、５０２ｂは、それぞれネジ５００ａ、５００ｂによって筐体４０２に回転可能な状態で取り付けられる背面部５０３を有している。回転フック５０２ａ、５０２ｂの背面部５０３の一方の長辺からは板状部５０４が前方向に延出している。板状部５０４の前端には垂直面部５０５が背面部５０３と逆の方向に延出している。垂直面部５０５の前面には操作用の突起部５０６が設けられている。
【０１１８】
回転フック５０２ａ、５０２ｂは、垂直面部５０５を上側に向けた状態で、筐体４０２の背面、板状部５０４及び垂直面部５０５に囲まれた空間に基板ケース６１０の下側が挿入され、基板ケース６１０を下方から保持できるようになっている。
【０１１９】
このような構造により、回転フック５０２ａ、５０２ｂ及びネジ５００ａ、５００ｂは、前記基板ケース６１０を前記筐体４０２の内側に固定する固定手段となっている。
【０１２０】
以下、基板ケース６１０を前記筐体４０２の内側に固定する行程について説明する。
【０１２１】
まず、作業者は、内側基板ケース２２１に制御基板２０を収納し、制御基板２０の基板側コネクタ３１１、３１２、３１３に、ハーネス３２１、３２２、３２３のハーネス側コネクタ３３１、３３２、３３３を結合させる。
【０１２２】
次に、作業者は、前記外側ケース本体部材６４０の切欠き２５２、２５４、６５１、６５２に前記ハーネス３２３を挿入し、前記外側ケース本体部材６４０の切欠き２５１、２５３、６５１、６５２に前記ハーネス３２１、３２２を挿入する。この後、作業者は、前記外側ケース本体部材６４０に外側ケース蓋部材６６０をネジ止め固定する。前記ハーネス３２３は、当該複数の貫通孔６９２、６９１、２９１を出入り口として基板ケース６１０のケース内部から延出した後、ケース内部に潜り込み、再度ケース内部から延出し、前記ハーネス３２１、３２２は、当該複数の貫通孔６９１、６９２、２９３を出入り口として基板ケース６１０のケース内部から延出した後、ケース内部に潜り込み、再度ケース内部から延出する。この状態で作業者は、基板ケース側封印シール６１２を基板ケース６１０に貼り付け、貫通孔６９１、６９２を介してハーネス３２１、３２２、３２３の中央部を基板ケース６１０の上面中央から上側に突出させた状態で前記外側ケース蓋部材６６０と前記外側ケース本体部材６４０の間を封印する。
【０１２３】
この後、図１５の突起部５０６を操作して回転フック５０２ａ、５０２ｂの垂直面部５０５を下方に向け、遊技機本体側挟持部材５０１にハーネス３２１、３２２、３２３の中央部を挟持させて、基板ケース２１０を前記筐体２の内側に仮固定し、突起部５０６を操作して回転フック５０２ａ、５０２ｂの垂直面部５０５を２点鎖線に示すように上方に向け、回転フック５０２ａ、５０２ｂに、基板ケース２１０を下方から保持させる。この後、作業者は、図９に示した遊技機本体側封印シール３７９を、前記遊技機本体側挟持部材５０１に貼り、前記ハーネス３２１、３２２、３２３を挟持した状態の前記遊技機本体側挟持部材５０１を封印する。
【０１２４】
かかる構成のスロットマシンによれば、遊技機本体側挟持部材５０１にハーネス３２１、３２２、３２３を挟持させることで基板ケース２１０を前記筐体２または前記前扉３の内側に仮固定できるので、遊技機本体に対する基板ケース６１０の取り付け作業を容易でき、また、ハーネス３２１、３２２、３２３を挟持した基板ケース側挟持部材３６１ａ、３６１ｂ及び遊技機本体側挟持部材５０１に対してそれぞれ基板ケース側封印シール６１２及び遊技機本体側封印シール３７９を貼り付けて封印することで、ハーネス３２１、３２２、３２３を取り替えることを禁止にしているというメッセージを伝わり易くし、ハーネス３２１、３２２、３２３は筐体２、基板ケース２１０に対し封印されることとなり基板ケース側封印シール６１２と遊技機本体側封印シール３７９を開封しない限りハーネス３２１、３２２、３２３及び基板ケース２１０は筐体２から分離することが不可能となる。更にハーネス３２１、３２２、３２３を不正に取り替えたことやコネクタ３１１、３１２、３１３とコネクタ３３１、３３２、３３３を分離したことを容易にチェックできるので、図１乃至図１１に示した実施形態と同様の効果が得られる。
【０１２５】
尚、図１４及び図１５に示した実施形態では、遊技機本体側挟持部材５０１と回転フック５０２ａ、５０２ｂを筐体４０２の内側に設けたが、遊技機本体側挟持部材５０１を前扉３の内側に設け、前記基板ケース６１０を前扉３に内側に固定するように構成してもよい。また遊技機本体側挟持部材５０１は、図１２及び図１３に示した遊技機本体側挟持部材３７１ａと同様の封印構造にすることができる。
【０１２６】
図１乃至図１５に示した実施形態及びその変形例では、基板ケース側封印手段及び遊技機本体側封印手段として封印シールや封印リングを用いたが、基板ケース側封印手段及び遊技機本体側封印手段は、封印シールや封印リングに限らず各種適用可能である。
【産業上の利用可能性】
【０１２７】
本発明は、スロットマシンに限らず、パチンコ機等の他の遊技機に応用することができる。
【図面の簡単な説明】
【０１２８】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるスロットマシンの分解斜視図である。
【図５】図５は、本発明の一実施形態による基板ケース及びその周辺部の分解斜視図である。
【図６】図６は、本発明の一実施形態による基板ケース及びその周辺部の分解斜視図である。
【図７】図７は、本発明の一実施形態による基板ケース及びその周辺部の斜視図である。
【図８】図８は、本発明の一実施形態による基板ケースを筐体に取り付ける前の状態を示す断面図である。
【図９】図９は、本発明の一実施形態による基板ケースを筐体に取り付けた状態を示す断面図である。
【図１０】図１０は、本発明の一実施形態による本体側挟持部材にハーネスを取り付ける前の状態を示す説明図である。
【図１１】図１１は、本発明の一実施形態による本体側挟持部材にハーネスを取り付けた後の状態を示す説明図である。
【図１２】図１２は、本発明の一実施形態の変形例による本体側挟持部材３７１ａにハーネス３２４を取り付ける前の状態を示す説明図である。
【図１３】図１３は、本発明の一実施形態の変形例による本体側挟持部材３７１ａにハーネス３２４を取り付けた後の状態を示す説明図である。
【図１４】図１４は、本発明の他の実施形態による本発明の他の実施形態の基板ケース及びその周辺部の分解斜視図である。
【図１５】図１５は、本発明の他の実施形態による基板ケース及びその周辺部の斜視図である。
【符号の説明】
【０１２９】
１…スロットマシン、２…筐体、３…前扉、４…上部パネル部、
５…下部パネル部、６ａ…受皿部、６…受皿ユニット、７…操作卓、
８…開口、２０…主制御基板、２１…ホッパ装置、２２…補助貯留部、
２３…主電源装置、２４…電源装置基板、２５…外部集中端子基板、
３０、３１ａ、３１ｂ…発光駆動部、３２ａ、３２ｂ…スピーカ、
３３…中央表示基板、３４…メダル選別装置、
３４ａ…メダルセンサ、３５…ガイド部材、３６…ガイド部材、
３７…ガイド部材、３８ａ、３８ｂ…スピーカ、
４０…サブ制御基板、４１…パネル面、
４２…表示窓、４３…遊技状態表示部、４４…操作アシスト表示部、
４５…数値情報表示部、４６、４７ａ、４７ｂ…演出用照明部、
４８ａ、４８ｂ…演出用放音部、４９…液晶表示装置、
４９ａ…表示窓、５０…パネル板、５１…表示パネル、
５２ａ、５２ｂ…演出用照明部、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、１００…リールユニット、
１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、
１３０…回胴装置基板、２００…ＣＰＵ、２０１…記憶部、
２０２…システムプログラム、２０３…メダルクレジット手段、
２０４…入賞抽選テーブル、２０５…内部抽選フラグ、
２１０…基板ケース、２１１ａ、２１１ｂ…ネジ、
２１２…基板ケース側封印シール、２１３…ネジ、
２２０…基板ケース、２２１…内側基板ケース、
２３０…演出装置、２４０…外側ケース本体部材、
２４１…平面部、２４２、２４３、２４４、２４５…枠壁、
２４６…開口、２５１、２５２…切欠き、
２６０…外側ケース蓋部材、２６１…平面部、
２６２、２６３、２６４、２６５…枠壁、２６６…開口、
２７１、２７２…切欠き、
２８１ａ、２８１ｂ…ネジ止め部、２８２ａ、２８２ｂ…貫通孔、
２８３ａ、２８３ｂ…ネジ孔、２９１、２９２…貫通孔、
３１０…配線パターン、３１１、３１２、３１３…基板側コネクタ、
３１５…ＲＡＭ、３１６、３１７、３１８…ＲＯＭ、
３２１、３２２、３２３…ハーネス、
３３１、３３２、３３３…ハーネス側コネクタ、
３４１、３４２、３４３…ハーネス側コネクタ、
３５１、３５２、３５３…開口部、
３７１ａ、３７１ｂ…遊技機本体側挟持部材、
３７２…背面部、３７３、３７４…板状部、
３７５、３７６…係止爪、３７７…隙間、３７８…挟持部、
３７９…遊技機本体側封印シール、５０１…遊技機本体側挟持部材、
６１０…基板ケース、６１２…基板ケース側封印シール、
６４０…外側ケース本体部材、６６０…外側ケース蓋部材、
６４２…枠壁、６５１、６５２…切欠き、６６２…枠壁、
６７１、６７２…切欠き、６９１、６９２…貫通孔、
７００…遊技機本体側封印リング、
７０１、７０２…貫通孔、７１０…湾曲部、
７１１、７１２…熱圧着用延出部、７２０…一体部
【図１】
2007268202.tif 000003
【図２】
2007268202.tif 000004
【図３】
2007268202.tif 000005
【図４】
2007268202.tif 000006
【図５】
2007268202.tif 000007
【図６】
2007268202.tif 000008
【図７】
2007268202.tif 000009
【図８】
2007268202.tif 000010
【図９】
2007268202.tif 000011
【図１０】
2007268202.tif 000012
【図１１】
2007268202.tif 000013
【図１２】
2007268202.tif 000014
【図１３】
2007268202.tif 000015
【図１４】
2007268202.tif 000016
【図１５】
2007268202.tif 000017